(57)【要約】【課題】集塵室に着脱可能な集塵用パックの収容ケースを具え、収容ケースのハンドルを傾倒可能に具えた電気掃除機を提供する。【解決手段】本体ケーシング20の内部に形成され、吸気口34と排気口32とを有する集塵室30と、集塵室30を閉塞する蓋体40と、集塵室30に着脱可能に形成され集塵用パック90を装着可能な収容ケース50と、収容ケース50に形動可能に支持されたハンドル60と、ハンドル60を、無負荷の状態では起立する方向に付勢する付勢手段64とを備え、蓋体40は、収容ケース50を集塵室30に収納した状態で蓋体40を閉じると、ハンドル60の遊端側に当接してハンドル60を後方側に傾倒させる方向に押し付ける。【選択図】  図７
2008119530.tif 000002
【特許請求の範囲】
【請求項１】
本体ケーシングの内部に形成され、吸気口と排気口とを有する集塵室と、該集塵室を閉塞する蓋体と、前記集塵室に着脱可能に形成され集塵用パックを装着可能な収容ケースと、該収容ケースに形動可能に支持されたハンドルと、該ハンドルを、無負荷の状態では起立する方向に付勢する付勢手段とを備え、
前記蓋体は、収容ケースを集塵室に収納した状態で蓋体を閉じると、前記ハンドルの遊端側に当接してハンドルを後方側に傾倒させる方向に押し付けることを特徴とする電気掃除機。
【請求項２】
前記収容ケースは、集塵室の吸気口と連通する吸気孔が開設された前板を有し、該前板に集塵用パックの口紙板を保持するクランプ機構を形成するとともに、前記前板にハンドルを軸支したことを特徴とする請求項１記載の電気掃除機。
【請求項３】
前記ハンドルは、収容ケースに傾動可能に支持され、前記付勢手段によって起立する方向に付勢された左右一対の支持柱と、該支持柱の先端どうしを連繋し、使用者が掴む握り部を有し、蓋体を開いたときに、前記付勢手段によって、握り部が、収容ケースの前板の上方位置まで起立する請求項２記載の電気掃除機。
【請求項４】
前記ハンドルは、収容ケースに傾動可能に支持され、前記付勢手段によって起立する方向に付勢された左右一対の支持柱と、該支持柱の先端どうしを連繋し、使用者が掴む握り部を有し、
前記収容ケースに集塵用パックを装着し、収容ケースを集塵室に取り付け、蓋体を閉じたときに、握り部が、蓋体と集塵用パックとの間に位置するように形成される請求項１記載の電気掃除機。
【請求項５】
前記ハンドルは、収容ケースに傾動可能に支持され、前記付勢手段によって起立する方向に付勢された左右一対の支持柱と、該支持柱の先端どうしを連繋し、使用者が掴む握り部を有し、
前記支持柱は、ハンドルを収容ケース側に傾倒させた状態で、握り部が集塵用パックと密着しないように、上向きに屈曲している請求項１記載の電気掃除機。
【請求項６】
前記収容ケースは、消臭剤を塗布または浸含させた消臭プレートを装着可能としたことを特徴とする請求項１記載の電気掃除機。
【請求項７】
前記ハンドルは、ハンドルを倒したときに、集塵用パックを上側から押さえ付けることを特徴とする請求項１記載の電気掃除機。
【発明の詳細な説明】
【技術分野】
【０００１】
本発明は、電気掃除機に関するものであり、具体的には、集塵用パックを装着した収容ケースを集塵室に着脱可能な電気掃除機に関するものである。
【背景技術】
【０００２】
電気掃除機の本体ケーシング内部に形成された集塵室に、集塵用パックを着脱可能とした電気掃除機が知られている。しかしながら、集塵用パックにゴミがいっぱいに詰まって膨張していると、集塵室からの取り出しが困難であった。
【０００３】
そこで、集塵用パックを収容ケースに装着し、収容ケースごと集塵室に収納し、集塵用パックの交換の際には、収容ケースごと集塵用パックを取り出すことができるようにした電気掃除機が提案されている(例えば、特許文献１参照)。
【特許文献１】特開２０００−７０１９４号公報
【発明の開示】
【発明が解決しようとする課題】
【０００４】
収容ケースには、集塵室からの取り出しを容易にするために使用者が掴むハンドルが設けられている。
【０００５】
ハンドルは、収容ケースから直接立設されているから、集塵室のスペース上、小さく形成せざるを得なかった。このため、ハンドルが掴み難くいことがあった。
【０００６】
また、収容ケースのハンドルを蓋体を閉じた状態で傾倒するようにした電気掃除機も提案されているが、蓋体を開いたときにも倒れたままであり、使用者が自らハンドルを起こして掴む必要があった。
【０００７】
本発明の目的は、集塵室に着脱可能な集塵用パックの収容ケースを具え、収容ケースのハンドルを傾倒可能に具えた電気掃除機を提供することである。
【課題を解決するための手段】
【０００８】
上記課題を解決するために本発明の電気掃除機は、
本体ケーシングの内部に形成され、吸気口と排気口とを有する集塵室と、該集塵室を閉塞する蓋体と、前記集塵室に着脱可能に形成され集塵用パックを装着可能な収容ケースと、該収容ケースに形動可能に支持されたハンドルと、該ハンドルを、無負荷の状態では起立する方向に付勢する付勢手段とを備え、
前記蓋体は、収容ケースを集塵室に収納した状態で蓋体を閉じると、前記ハンドルの遊端側に当接してハンドルを後方側に傾倒させる方向に押し付けることを特徴とする。
【発明の効果】
【０００９】
収容ケースに設けたハンドルを、付勢手段によって起立可能とすると共に、集塵室に収容したときに、蓋体がハンドルの遊端側に当接してハンドルを後方側へ傾倒させる構成とすることで、ハンドルは、使用者が操作しなくても、蓋体の開閉によって、自動的に起立、傾倒するから、使用者はハンドルを掴み易い。
【００１０】
また、ハンドルは、傾倒した状態で、集塵用パックを上から押さえ付けるから、蓋体に集塵用パックが押し付けられ難くなり、集塵用パックの破損を防止できる。
【発明を実施するための最良の形態】
【００１１】
以下、本発明の一実施例について図面を参照しながら説明する。
【００１２】
図１は、本発明を実施することのできる電気掃除機(10)の外観を示す斜視図、図２は側面図、図３は縦断面図である。
【００１３】
図に示すように、電気掃除機(10)は、本体ケーシング(20)の前面に本体吸気口(23)が開設されており、床用吸込具等を連繋可能なホース(図示せず)が接続可能となっている。本体ケーシング(20)の後面及び側面には、本体排気口(24)(25)が形成されている。なお、側面に形成された本体排気口(25)は、補助的な排気口となっている。
【００１４】
本体ケーシング(20)の底面には、車輪(14)(14)が配備されており、電気掃除機(10)を移動可能としている。
【００１５】
本体ケーシング(20)の前側上部には、使用者が電気掃除機(10)を掴んで移動させるための本体ハンドル(26)が形成されており、該本体ハンドル(26)の後方には、後述する集塵室(30)を閉じる蓋体(40)が開閉可能に配備されている。
【００１６】
本体ケーシング(20)の上面には、電源スイッチ(27)や、電気掃除機(10)の作動状態を点灯や点滅で示す表示部(28)が設けられている。
【００１７】
本体ケーシング(20)の内部は、図３に示すように、前述の本体吸気口(23)に連通し、上面が開口した略箱形の集塵室(30)が形成されている。集塵室(30)の内部には、集塵用パック(90)を装着した収容ケース(50)が収納される。集塵室(30)の後端は、内側排気口(32)を介して吸引機構(16)に連通している。
【００１８】
吸引機構(16)には、モータ及びファンを具える送風機(18)が内装されており、送風機(18)により集塵室(30)から吸引された空気は、本体排気口(24)(25)から外部に排気される。
【００１９】
蓋体(40)は、基端が本体ケーシング(20)の上面略中央に形成された凹み(21)に軸支されており、集塵室(30)の上面開口を閉塞可能となっている。蓋体(40)の先端は、本体ケーシング(20)の係合孔(22)に嵌まる係合部材(42)を有し(図４参照)、蓋体(40)を閉じたときに、係合部材(42)が係合孔(22)に嵌まり、蓋体(40)の開放を阻止する。
【００２０】
蓋体(40)の裏面には、図３等に示すように、夫々左右の先端側に集塵用パック(90)の不完全装着を防止するリブ(44)(44)が突設されている。不完全装着防止リブ(44)(44)は、集塵用パック(90)の口紙板(92)を収容ケース(50)の前板(51)に押し付けるものであり、口紙板(92)を滑らかに案内できるように先端が丸みを帯びた形状となっている。
【００２１】
不完全装着防止リブ(44)(44)に加え、蓋体(40)の裏面には、左右の不完全装着防止リブ(44)(44)間に、集塵用パック(90)が未装着の状態や、収容ケース(50)のクランプ機構(70)に集塵用パック(90)の口紙板(92)が不完全な状態で嵌まっているときに、クランプ機構(70)と衝突し、蓋体(40)が閉まらないようにする補助リブ(45)が突設されている。
【００２２】
蓋体(40)には、さらに、収容ケース(50)のハンドル(60)を傾倒させる案内リブ(46)(46)が突設されている。案内リブ(46)(46)は、収容ケース(50)のハンドル(60)と対応する位置に突設されており、ハンドル(60)を滑らかに案内することができるように、ハンドル(60)との当接部は、凹円弧状に形成することが望ましい。
【００２３】
案内リブ(46)は、不完全装着防止リブ(44)と連続して一体的に形成することが望ましく、これにより、案内リブ(46)の強度を高めることができる。
【００２４】
図１０乃至図１４は、集塵用パック(90)を着脱可能に収容する収容ケース(50)を示している。
【００２５】
収容ケース(50)は、図に示すように、前面に集塵室(30)の吸気口(34)と連通する吸気孔(52)が開設された前板(51)を有し、該前板(51)の両側から後方に向けて、側板(54)(54)が形成されている。
【００２６】
前板(51)の下端からは、側板(54)(54)の下端と繋がる底板(56)が突設されている。なお、側板(54)(54)は、必要に応じて形成すればよいが、集塵室(30)からゴミ等が詰まって膨張した集塵用パック(90)を容易に取り出すためには、側板(54)(54)を形成しておくことが望ましい。
【００２７】
また、収容ケース(50)の後端に、前板(51)と略平行な後板(図示せず)を設けて、収容ケース(50)を上面のみが前面開口した略箱形としてもよい。
【００２８】
前板(51)の吸気孔(52)には、図１０、図１１及び１４に示すように、空気漏れを防止するためのパッキン(80)と、該パッキン(80)を固定するパッキン抑え板(82)が配備されている。
【００２９】
また、前板(51)の上端中央には、クランプ機構(70)が形成されている。
【００３０】
クランプ機構(70)は、前板(51)に軸支され、集塵用パック(90)の口紙板(92)を把持するクランプ部(71)と、該クランプ部(71)を図１２の矢印Ａ方向に付勢するバネ(75)等の付勢部材から構成されている。
【００３１】
クランプ部(71)は、口紙板(92)を挟む凹部(72)が後方から下向きに形成されており、前端には、口紙板(92)を装着又は取外すときに使用者が押し込む押え片(73)が形成されている。また、クランプ部(71)の中央は、上向きに突設された当たり片(74)が形成されており、口紙板(92)が未装着の場合又は不完全な状態で取り付けられている場合には、当たり片(74)が前記蓋体(40)の補助リブ(45)と衝突して、蓋体(40)が閉まらないようにしている。
【００３２】
前板(51)の上端左右には、ハンドル(60)が配備されている。ハンドル(60)は、前板(51)に形成された凹状受部(53)(53)に傾動可能に軸支されている。
【００３３】
ハンドル(60)は、凹状受部(53)(53)に軸支された支持柱(61)(61)と、該支持柱(61)(61)の先端を連繋する握り部(62)から構成される。支持柱(61)(61)は、図１０、図１２及び図１３に示すように、支持柱(61)(61)の下端が垂直に立設した状態で、略中央が後方に向けて屈曲するよう傾斜させ、先端が再度垂直となるように形成している。
【００３４】
支持柱(61)は、ハンドル(60)が起立するように、トーションバネ等の付勢手段(64)によって、起立方向に付勢されている(図１４参照)。
【００３５】
ハンドル(60)を起立させた状態では、握り部(62)は、収容ケース(50)の前板(51)の上方に位置し、ハンドル(60)を倒した状態では、図３に示すように、ハンドル(60)の先端側は、上向きに屈曲することとなる。
【００３６】
上記の如きハンドル(60)の形状を採用することで、図３に示すように、ハンドル(60)を倒したときに、支持柱(61)(61)の基端側が集塵用パック(90)を上側から押さえ付けることができ、集塵用パック(90)が蓋体(40)に当たって蓋体(40)が閉じなかったり、蓋体(40)の裏面に形成された補強用の突起等に当たって破損することがないようにしている。このように、ハンドル(60)によって、集塵用パック(90)を上から押さえ付けることで、従来、蓋体(40)の裏面に形成されていた集塵用パック押さえ用のリブ等が不要となる。
【００３７】
また、支持柱(61)(61)は、前板(51)に軸支されており、ハンドル(60)を起立させた状態で、握り部(62)が前板(51)の上方位置にくるから、集塵用パック(90)の装着、取外しの際に、ハンドル(60)が邪魔になることはない。
【００３８】
さらに、図３に示すように、集塵用パック(90)が膨張した状態でも、蓋体(40)と集塵用パック(90)との間に挟まれた握り部(62)が、集塵用パック(90)と密着しないから衛生的である。
【００３９】
収容ケース(50)の側板(54)(54)は、図１０乃至図１４に示すように、集塵用パック(90)の側部からも十分に排気でき、集塵力を高めることができるように、波形の凹凸形状に加工している。側板(54)には、多数の排気孔(55)(55)が開設されている。図示の排気孔(55)(55)は、前方に向けて広がる略扇型に開設され、排気の流れをスムーズにして、排気能力を高めるようにしている。なお、側板(54)(54)の形状や排気孔(55)(55)の形状は、これらに限定されるものではない。
【００４０】
収容ケース(50)の底板(56)は、上面側前端に集塵用パック(90)の口紙板(92)の下端を支持する凹み(57)が形成されている。また、底板(56)の略中央には、図３及び図１２に示すように、消臭剤を塗布又は浸含させた消臭プレート(84)(図１４参照)が、嵌まる開口(58)が形成されており、消臭プレート(84)が装着される。
【００４１】
集塵用パック(90)は、図１４に示すように、前端に厚紙等から構成され、吸気孔(52)と連通する開口(94)の形成された口紙板(92)と、該口紙板(92)の開口(94)と連通する通気性パック(96)から構成される。通気性パック(96)は、例えば、紙パックを例示できる。
【００４２】
上記構成の電気掃除機(10)において、図３に示すように、集塵室(30)に、収容ケース(50)を介して集塵用パック(90)が収容され、使用者が掃除をすることで、集塵用パック(90)がゴミ等でいっぱいになると、図７乃至図９に示す要領(集塵用パック(90)は未膨張の状態であるが、斜視図では、図４乃至図６に示す要領)で、蓋体(40)を開く。蓋体(40)を開くと、ハンドル(60)は、付勢手段(64)の付勢力により、蓋体(40)の案内リブ(46)に沿って起立する。図９に示すように、蓋体(40)を開き、ハンドル(60)が完全に起立すると、使用者は、握り部(62)を掴んで、収容ケース(50)を集塵室(30)から上方に引き出すことができる。握り部(62)は、従来に比べて、大きく上方に突出するから、使用者は握り部(62)を掴み易く、収容ケース(50)を集塵室(30)から容易に取り出すことができる。
【００４３】
収容ケース(50)を取り出した状態で、クランプ部(71)の押え片(73)を押し、集塵用パック(90)を取り外す。
【００４４】
新しい集塵用パック(90)は、クランプ部(71)の押え片(73)を押した状態で、口紙板(92)が凹部(72)に嵌まるように取り付けられ、この状態で、ハンドル(60)を掴んで、図６及び図５に示すように、収容ケース(50)を集塵室(30)に収容し、図５、図４及び図１の順で示されるように、蓋体(40)を閉じる。ハンドル(60)は、蓋体(40)の案内リブ(46)に押されて、徐々に後方に傾きながら集塵室(30)の内部に格納される。
【００４５】
掃除機(10)を作動させ、集塵用パック(90)が膨らんでも、図３に示すように、集塵用パック(90)は、ハンドル(60)の支持柱(61)(61)に押さえられているから、蓋体(40)の下面に設けられたリブにあたって集塵用パック(90)が破損することもない。
【産業上の利用可能性】
【００４６】
本発明は、集塵用パックを容易に取り出すことのできる電気掃除機として有用である。
【図面の簡単な説明】
【００４７】
【図１】蓋体を閉じた状態の電気掃除機の斜視図である。
【図２】蓋体を閉じた状態の電気掃除機の側面図である。
【図３】蓋体を閉じた状態の電気掃除機の断面図である。
【図４】蓋体を少し開いた状態の電気掃除機の斜視図である。
【図５】蓋体が完全に開いた状態の電気掃除機の斜視図である。
【図６】収容ケースを集塵部から取り出した状態を示す電気掃除機の斜視図である。
【図７】蓋体を少し開いた状態の電気掃除機の断面図である。
【図８】図７よりも、さらに蓋体を開いた状態の電気掃除機の断面図である。
【図９】蓋体が完全に開いた状態の電気掃除機の断面図である。
【図１０】集塵用パックを取り付けた収容ケースの斜視図である。
【図１１】収容ケースの正面図である。
【図１２】収容ケースの断面図である。
【図１３】収容ケースの側面図である。
【図１４】収容ケース及び集塵用パックの分解図である。
【符号の説明】
【００４８】
(10)  電気掃除機
(20)  本体ケーシング
(30)  集塵室
(40)  蓋体
(44)  不完全装着防止リブ
(45)  補助リブ
(46)  案内リブ
(50)  収容ケース
(60)  ハンドル
(61)  支持柱
(62)  握り部
(64)  付勢手段
(70)  クランプ機構
(90)  集塵用パック
【図１】
2008119530.tif 000003
【図２】
2008119530.tif 000004
【図３】
2008119530.tif 000005
【図４】
2008119530.tif 000006
【図５】
2008119530.tif 000007
【図６】
2008119530.tif 000008
【図７】
2008119530.tif 000009
【図８】
2008119530.tif 000010
【図９】
2008119530.tif 000011
【図１０】
2008119530.tif 000012
【図１１】
2008119530.tif 000013
【図１２】
2008119530.tif 000014
【図１３】
2008119530.tif 000015
【図１４】
2008119530.tif 000016